(57)【要約】【課題】指輪に任意条件により発光、音発生、振動、部品機動等の機能ユニットを交換式に利用できる指輪を提供する。【解決手段】指輪本体と、該指輪本体に設けられたユニット収納部と、時計や任意の設定における発光手段、音発生手段等の任意の機能を具備したユニット体とより構成される。【選択図】    図１
2004174179.tif 000002
【特許請求の範囲】
【請求項１】
指輪本体と、該指輪本体に設けられたユニット収納部と、任意の設定における発光、音発生、振動、部品機動等の任意の機能を具備したユニット体と、前記ユニットを前記収納部に着脱可能に固定する着脱機構とよりなるユニット式指輪。
【請求項２】
ユニット体が電池着脱機能を有するとともに、電池からの配線を有し任意の起動する基盤部と、該基盤部に前記配線により導通する着脱可能な任意の機能構成部とよりなり、電池、基盤部、機能構成部を組み立てることでユニット収納部に収納される形状となることを特徴とするユニット式指輪。
【請求項３】
ユニット体が発光体を内在するものであり、ユニット表面に着脱可能に設けられた任意の模様、色彩、文字等を配した透過盤を具備するとともに、前記ユニット収納部は、前記透過盤が露出するように構成されたものであることを特徴とする請求項１又は２記載のユニット式指輪。
【請求項４】
前記透過盤表面あるいは裏面に光拡散部材あるいは光拡散層を有するものであることを特徴とする請求項１、２又は３記載のユニット式指輪。
【請求項５】
ユニット体にコイル、導線などの電波受信アンテナ機能を内在するものであり、電波受信アンテナ機能は指輪本体を導体として機能するものであることを特徴とする請求項１、２、３又は４記載のユニット式指輪。
【請求項６】
導電部が防水保護機能により、防水されていることを特徴とする請求項１、２、３、４又は５記載のユニット式指輪。
【発明の詳細な説明】
【０００１】
【発明の属する技術分野】
本発明は、指輪に発光装置、音発生装置、時計、方位計等の任意の各種機能ユニットを交換式に利用できる指輪に関するものである。
【０００２】
【従来の技術】
従来、指輪は指輪に彫刻を施したり、宝石等を台座に組み込んだ装飾的構造を有するものであった。その装飾性を向上させるために、台座を回転させるなどの機能を有するものがあった。
機能性を具備させるものとして、指輪の全体構造に検波装置を組み込んで、携帯電話の電波に反応して発光するものがあった。
【特許文献１】
特開平１１−２６６９１４
【特許文献２】
実登３０５５２７７
【０００３】
【発明が解決しようとする課題】
特許文献１の技術にあっては、宝石を回転式に取り付けたものであり、装飾効果は向上するが、その他機能性を実現するものではない。
特許文献２においては、その技術は全く記載されていないが、記載された範囲内では、単に指に取り付けられる発光体であり、一体式に組み込まれており、その単一機能しか実現できない構造が想定される。
以上の従来技術では、指輪を複合的に機能を使い分けることは不可能であった。
【０００４】
【課題を解決するための手段】
本発明は、指輪本体と、該指輪本体に設けられたユニット収納部と、任意の設定における発光、音発生、振動、部品機動等の任意の機能を具備したユニット体と、前記ユニットを前記収納部に着脱可能に固定する着脱機構とにより構成される。
【０００５】
【発明の実施の形態】
以下、本発明の第一実施形態について図１〜図５を利用して詳細に説明する。
図１は本発明の斜視図、図２は本発明の分解斜視図、図３は本発明のユニット体を組み合わせた分解斜視図、図４は本発明の断面図、図５は本発明のユニットケースの断面図である。
本実施の形態においては、ユニット体として携帯電話などの着信電波等を検波しＬＥＤ１３により発光する機能を有するものとして説明する。
本発明は図１に示すように、指通し穴２０を有する指輪である。指輪本体１の上部には、ユニット収納部２が設けられている。このユニット収納部２は指輪本体１の指通し穴側からユニット体を挿入できるようになっている。
図においてユニット収納部２は指輪本体１の上部側に開口部３を有する。開口部周縁は、内側に突出するようになっており、ユニット体が開口部３から外れないように開口ストッパー４となっている。
ユニット体３０は図３に示すように組み合わされ、この状態でユニット収納部２に下側から挿入される。挿入に関しては、パッキンにより防水性を得るために、全体が密着した状態となる位置まで挿入する。挿入されたユニット体は両側面からビス７をしめこむことにより固定される。
次にユニット体について説明する。図２に示すようにユニットケース５に機能構成部１１と電池６を組み込むことで、ユニット体となる。ユニットケースはプラスチックなどの電通しない素材によるものであることが望ましい。ユニットケース５には仕切り板がついており、この下に側面を開口部として電池６を挿入できるようになっている。挿入された電池は、電池収納部９の上下板の隙間間隔により締め付けられる状態となり固定される。この固定手段としては、その他に突起を設けるなどの従来使用される構造が各種利用できる。
ユニットケース５の仕切り板には電池の一方の電極に接触する電通端子が設けられていて、仕切り板上面に置載される電通端子１０ｂにより機能構成部１１に設けられた配線に結線されるようになっている。また電池収納部９の下板には電池の他方の電極に接触するように電通端子が設けられており、ユニットケース５内あるいはケースに沿ってつながり、電通端子１０ａにより機能構成部１１に設けられた他の配線に結線されるようになっている。
本事例においては機能構成部は携帯電話の電話を検波しＬＥＤを発光させるものであるが、そのためにＩＣチップ１２、ＬＥＤ１３をはじめとし、コイルなどで検波発光する構成となっている。内部あるいは表面に設けられたコイルあるいはアンテナ用導線の端部は図４に示すようにユニットケース５の開口部に設けられたパッキンではさみこまれるようにユニットケース外に飛び出し、指輪本体とつなげられている。この際、指輪本体１は金属などの電波を導通させるアンテナの役目を実現するものが採用される。
図４においては、ユニットケース５の上面に光拡散盤１６が配置され、その上に任意のデザインや彩色を施した透過盤１４が設けられ、更にカバー盤１５が設けられている。ＬＥＤが発光すると、光拡散盤１６により光が広く拡散される。これにより、小さなＬＥＤ一個であっても、スポット的に局所だけ光るという事態を回避する。また、拡散光は、透過盤１４の絵柄を浮かびあがらせる役割をする。カバー盤１５は、透過盤１４の汚れを保護するとともに、開口部３に設けられたパッキン１８ｂと密に接触することにより防水効果を高める役割をする。
本発明は、以上の構成よりなる。
これを使用するときは、ユニット体を組み合わせて指に装着する。携帯電話に電話がかかってくると、指輪を媒体として導線に流れ、ユニット体の機能構成部１１がこれを検知し、任意の設定によりＬＥＤ１３が発光する。このとき利用者は、その着信を目で確認できるとともに、電話中継続的に光り、ひとつのファッショ性となる。なお、この機能ユニットには、バイブレーター機能を内在させることも可能でこの場合、着信を振動により知る効果を得る。
また、透過盤１４は交換可能となっており、あらかじめ用意された数種類の透過盤を用意することで、場所や状況に応じて使い分けることができる。
上記事例として、ユニット体を固定する手段としてビスを用いて説明したが、固定手段はこれに限定されるものではない。例えば、その他の一つの固定手段として、図６に示すように爪２１を利用することも可能である。この際、この爪２１はラジオペンチなどで折り曲げて開閉するものである。ユニット体を着脱するときはこの爪を開き、ユニット収納部の下から着脱する。固定の際には、ユニット体を開口部３の開口ストッパー４に押し付けるような状態に爪をセットする。この他にも、既存にしられる着脱技術であればよい。
【０００６】
以下、本発明の第二実施形態について図７〜図８を利用して詳細に説明する。
図７は本発明の斜視図、図８は本発明の断面図である。
この事例においては、視認を必要としない音発生や振動などの機能を有するユニットに使用する形態を示す。
指輪本体１は、キャップ体１９と螺合するようになっており、螺合した状態で指輪の形態をなすとともに、指輪にユニット収納部を構成するようになっている。
この場合、ユニット体はキャップ体１９をはずした状態で上からいれ、キャップ体１９をしめることで固定する。
図８において、ユニット収納部２の下部は、開口状態のストッパー２２となっている。但し、ストッパーは開口状態となるように限定されるものではなく、閉じて底部を形成するようになっていてもよい。
【０００７】
図９に示す事例は、異なるユニットケース５の事例を示すものである。これはユニットケース５に直接電池６を決められた電極位置となるように配置し、その上に機能構成部１１を置いて使用するものである。
ユニットケース５には、電通端子１０ａが配設されており、電池下面側電極につながる位置に一端側が、ケース側と面に露出するように他端側が配置されている。機能構成部１１は、下面に電池６の他方の電極に接するように電通端子１０ｂが配設されている。これは電池６と機能構成部１１の内部配線を結線する役割を担う。また、機能構成部１１の一側面部に電通端子１０ａ’が設けられ、これは前記ユニットケース５に配設された電通端子１０ａと接触して結線されるようになったものである。また、これら結線を実現するには電通端子を接触させる位置に設定する必要がある。これに関しては、ユニットケースと機能構成部の形状を合致させることにより、必ず結線される位置になるようにする従来の手段が有効となる。同様に、他の機能を有する機能構成部をこの形状に統一することで、指輪本体１、ユニットケース５を共有して、機能構成部１１のみを交換することで省経費で複数の機能に変換させることが可能となる。
結線をより確実なものとするために、機能構成部１１の厚みを収納部に収納しキャップ体１９を閉めた状態で、キャップ体１９のパッキン１８で押さえ込まれるようになっている必要がある。
本発明は、以上のような事例が挙げられるが、これに記載された技術に限定されるものではない。
【０００８】
【発明の効果】
本発明は、指輪本体と、該指輪本体に設けられたユニット収納部と、任意の設定における発光、音発生、振動、部品機動等の任意の機能を具備したユニット体と、前記ユニットを前記収納部に着脱可能に固定する着脱機構であることにより、ユニット体を交換することにより、一つの指輪本体で複数の機能を実現することができる。
ユニット体が電池着脱機能を有するとともに、電池からの配線を有し任意の起動する基盤部と、該基盤部に前記配線により導通する着脱可能な任意の機能構成部とよりなり、電池、基盤部、機能構成部を組み立てることでユニット収納部に収納される形状となっていることで電池及び機能構成部を共有することで、より安価に多機能を実現することを可能とする。
ユニット体が発光体を内在するものであり、ユニット表面に着脱可能に設けられた任意の模様、色彩、文字等を配した透過盤を具備するとともに、前記ユニット収納部が前記透過盤が露出するように構成されることにより、発光現象を任意のデザイン設定で視認可能となる。
前記透過盤表面あるいは裏面に光拡散部材あるいは光拡散層を有するものである場合、小さな光源を利用しても滑らかな拡散発光を実現することが可能となる。
ユニット体内部にコイル、導線などの電波受信アンテナ機能を具備するものであり、電波受信アンテナ機能は指輪本体を導体として機能するように構成することにより、露出した指輪を導体として使用できるため、違和感のない形状、デザインで装飾性をそこなうことなく感度の高い機能を実現することが可能となる。
導電部が防水保護機能により、防水されることにより、日常使用においてその都度取り外す必要がなくなった。
【図面の簡単な説明】
【図１】本発明の斜視図
【図２】本発明の分解斜視図
【図３】本発明のユニット体を組み合わせた分解斜視図
【図４】本発明の断面図使用状態図
【図５】本発明のユニットケース断面図
【図６】本発明のその他の実施の形態の断面図
【図７】本発明のその他の実施の形態の斜視図
【図８】本発明のその他の実施の形態の断面図
【図９】本発明のその他の実施の形態の断面図
【符号の説明】
１  指輪本体、２  ユニット収納部、３  開口部、４  開口ストッパー、
５  ユニットケース、６  電池、７  ビス、８  ビス穴、９  電池収納部、
１０；１０ａ；１０ｂ；１０ａａ  電通端子、１１  機能構成部、
１２  ＩＣチップ、１３  ＬＥＤ、１４  透過盤、１５  カバー盤、
１６  光拡散盤、１７  基盤、１８；１８ａ；１８ｂ  パッキン、
１９  キャップ体、２０  指通し穴、２１  爪、２２  ストッパー、
２３  導線、３０；３０ａ；３０ｂ  ユニット体
【図１】
2004174179.tif 000003
【図２】
2004174179.tif 000004
【図３】
2004174179.tif 000005
【図４】
2004174179.tif 000006
【図５】
2004174179.tif 000007
【図６】
2004174179.tif 000008
【図７】
2004174179.tif 000009
【図８】
2004174179.tif 000010
【図９】
2004174179.tif 000011